(57)【要約】【課題】複数のスイッチの不用意な同時押下を防止する。【解決手段】リモコン装置１００は、回路基板１４０上に設けられた複数のスイッチ１４１〜１４３と、上記複数のスイッチ１４１〜１４３を覆う弾性体シート１３０と、上記回路基板１４０と弾性体シート１３０との間に設けられ、上記複数のスイッチ１４１〜１４３の間に配置されたスペーサ１５０とを有する。【選択図】図４
2020035681.tif 000002
【特許請求の範囲】
【請求項１】
回路基板上に設けられた複数のスイッチと、
上記複数のスイッチを覆う弾性体シートと、
上記回路基板と弾性体シートとの間に設けられ、上記複数のスイッチの間に配置されたスペーサと、
を有することを特徴とするリモコン装置。
【請求項２】
請求項１のリモコン装置であって、
上記スペーサは、上記弾性体シートよりも硬質の材料を用いて形成されていることを特徴とするリモコン装置。
【請求項３】
請求項１および請求項２のうち何れか１項のリモコン装置であって、
上記スペーサは、上記回路基板に向けて突出した脚部を有することを特徴とするリモコン装置。
【請求項４】
請求項１から請求項３のうち何れか１項のリモコン装置であって、
上記弾性体シートには、上記スペーサが嵌合する凹部と、上記凹部の周囲で上記スペーサの外周に沿うように突出した縁取部とが形成されていることを特徴とするリモコン装置。
【請求項５】
請求項１から請求項４のうち何れか１項のリモコン装置であって、
上記弾性体シートには、上記スイッチの位置に対応して、上記スイッチに向けて突出した凸部が形成されていることを特徴とするリモコン装置。
【請求項６】
請求項１から請求項５のうち何れか１項のリモコン装置であって、
上記弾性体シートには、上記スイッチの位置と異なる位置に対応して、上記回路基板に当接する凸部が形成されていることを特徴とするリモコン装置。
【発明の詳細な説明】
【技術分野】
【０００１】
本発明は、遠隔で機器の制御等を行うリモコン装置に関するものである。
【背景技術】
【０００２】
車両のドアの解錠等を行うキーなどとして用いられるリモコン装置には、例えばゴムシートなどを部分的に凹ませて電気信号を発生させるスイッチが設けられる。また、そのようなスイッチが複数近接して設けられる場合、同時押下操作を防止するために、膜状の基体の表面に互いに平行に延びるストライプ状突起を形成する技術が知られている（例えば、特許文献１参照。）。
【先行技術文献】
【特許文献】
【０００３】
【特許文献１】実開昭５８−５５３１８号公報
【発明の概要】
【発明が解決しようとする課題】
【０００４】
上記のように膜状の基体の表面にストライプ状突起を形成する場合、基体やストライプ状突起の剛性や寸法などを適切に設定して不用意な同時押下操作を確実に防止することは必ずしも容易ではない。
【０００５】
本発明は、上記の点に鑑み、複数のスイッチの不用意な同時押下を容易に防止できるようにすることを目的としている。
【課題を解決するための手段】
【０００６】
上記の目的を達成するために、
本発明は、
リモコン装置であって、
回路基板上に設けられた複数のスイッチと、
上記複数のスイッチを覆う弾性体シートと、
上記回路基板と弾性体シートとの間に設けられ、上記複数のスイッチの間に配置されたスペーサと、
を有することを特徴とする。
【０００７】
これにより、弾性体シートにおける各スイッチを区画する部分はスペーサによって支持されるので、他方のスイッチが同時に押下されるおそれを低減することができる。
【発明の効果】
【０００８】
本発明によれば、複数のスイッチの同時押下を容易に防止できる。
【図面の簡単な説明】
【０００９】
【図１】リモコン装置の構成を示す平面図である。
【図２】ゴムシートの内面側を示す底面図である。
【図３】回路基板とスイッチとスペーサとの関係を示す斜視図である。
【図４】図１のIV-IV断面図である。
【図５】図１のV-V断面図である。
【図６】図１のVI-VI断面図である。
【発明を実施するための形態】
【００１０】
以下、本発明の実施形態として、車両のドアの解錠等を行う車両用リモコンキーなどとして用いられるリモコン装置について説明する。
【００１１】
リモコン装置１００は、図１に示すようにケース本体上部１１０とケース本体下部１２０とが重ね合わされて、その内部に、例えばゴムから成る弾性体シート１３０と回路基板１４０とが設けられて構成されている。回路基板１４０には、例えば車両のドアの解錠やエンジンの始動などをリモートコントロールするための電波を発する電子回路が収容されるとともに、例えば３つのスイッチ１４１〜１４３が設けられている。スイッチ１４１〜１４３の形式は特に限定されず、例えば、回路基板１４０上に電極パターンが形成され、導電性ゴムなどが押し付けられることによって導通されるようにするなどしてもよい。
【００１２】
上記ケース本体上部１１０には矩形の開口部１１０ａが形成される一方、弾性体シート１３０には、上記開口部１１０ａから露出するように外面側に突出するスイッチ部１３０ａが形成されている。弾性体シート１３０の内面側には、図２に示すように、スイッチ１４１〜１４３の位置に対応して突出したスイッチ押下凸部１３０ｄと、スイッチ１４１〜１４３の位置と異なる位置に対応して配置され、回路基板１４０に当接して弾性体シート１３０が押し込まれないようにする支持凸部１３０ｅが形成されている。また、弾性体シート１３０の内面側には、弾性体シート１３０と回路基板１４０との間に設けられるスペーサ１５０を保持するように、上記スペーサ１５０が嵌まり込む凹部１３０ｂと、上記凹部１３０ｂの周囲でスペーサ１５０の外周に沿うように突出した縁取部１３０ｃとが形成されている。
【００１３】
上記スペーサ１５０は、例えば弾性体シート１３０に比べて硬質のプラスチック等から形成され、図３から図６に示すように、各スイッチ１４１〜１４３の領域を区画するように、平面視で略逆Ｔ字型形状のＴ字部１５０ａと、回路基板１４０に向けて突出した４箇所の脚部１５０ｂとを有している。このようなスペーサ１５０が設けられていることによって、例えば図４に示す２つのスイッチ１４１・１４２のうちの一方をユーザが押下しようとしたときに、押下位置が多少ずれたとしても、弾性体シート１３０における２つのスイッチ１４１・１４２を区画する部分はスペーサ１５０によって支持されるので、他方のスイッチ１４１・１４２が同時に押下されるおそれは低減される。また、これらのスイッチ１４１・１４２と図６に示すスイッチ１４３とのうちの一方をユーザが押下しようとしたときも、同様に、図５に示すように、これらのスイッチ１４１〜１４３を区画する弾性体シート１３０の部分はスペーサ１５０によって支持されるので、やはり他方のスイッチ１４１〜１４３が同時に押下されるおそれは低減される。
【００１４】
上記のように、弾性体シート１３０と回路基板１４０との間にスペーサ１５０が設けられていることによって、複数のスイッチ１４１〜１４３の不用意な同時押下を容易に防止することができる。特に、弾性体シート１３０とスペーサ１５０とが別体として設けられることによって、両者の硬度（弾性係数）の設定の自由度を高くすることができるので、触感などの操作感を向上させつつ、上記のようなスイッチ１４１〜１４３の同時押下を防止することなども比較的容易になる。
【００１５】
しかも、スイッチ１４１〜１４３を近接させて配置密度を高くすることなども容易になるので、デザイン上の自由度を向上させることもできる。
【００１６】
また、弾性体シート１３０に凹部１３０ｂを形成してスペーサ１５０が嵌合し得るようにしたり、さらに、上記凹部１３０ｂの周囲で上記スペーサ１５０の外周に沿うように突出した縁取部１３０ｃを形成したりすることにより、スペーサ１５０を弾性体シート１３０に保持させることが容易になるので、組み立て作業性を向上させることが容易にできる。また、スペーサ１５０が倒れ込みにくくすることなども容易にできる。
【００１７】
また、スペーサ１５０は、必ずしも脚部１５０ｂが形成されていなくてもよいが、このような脚部１５０ｂが形成されていることによって、回路基板１４０の表面における脚部１５０ｂの間に電子部品等を配置するスペースを確保することなどが容易にできる。
【００１８】
また、回路基板１４０に当接する支持凸部１３０ｅが設けられることによって、弾性体シート１３０のスイッチ部１３０ａの内面側を補強し、過度な凹みやケース本体上部１１０の内面側への潜り込みを防止することなども容易にできる。
【００１９】
なお、スペーサ１５０は、あらかじめ回路基板１４０に取り付けられた後に、弾性体シート１３０が組み付けられるようにしてもよい。
【符号の説明】
【００２０】
１００      リモコン装置
１１０      ケース本体上部
１１０ａ    開口部
１２０      ケース本体下部
１３０      弾性体シート
１３０ａ    スイッチ部
１３０ｂ    凹部
１３０ｃ    縁取部
１３０ｄ    スイッチ押下凸部
１３０ｅ    支持凸部
１４０      回路基板
１４１〜１４３    スイッチ
１５０      スペーサ
１５０ａ    Ｔ字部
１５０ｂ    脚部
【図１】
2020035681.tif 000003
【図２】
2020035681.tif 000004
【図３】
2020035681.tif 000005
【図４】
2020035681.tif 000006
【図５】
2020035681.tif 000007
【図６】
2020035681.tif 000008